(57)【要約】【課題】コストが安価であり、オーダーメイド製作の手間も必要なく、設置も容易にでき、特にパイプ集合スペースのスペース上の制約などに比較的容易に対応できる。【解決手段】ガスメーターＭを建物の壁面Ｈに取り付ける際に使用するガスメーターの取付金具１であって、平板材料をコ字状に折り曲げて形成された中央部材２と、この中央部材２の両端に折曲形成された両側板部２ａに沿って配置される２個一組からなる両側部材３とを備え、中央部材２及び両側部材３には、両側部材３の板面に沿って進退自在でかつ所望の位置で両者を相互に連結固定できる構造を備え、両側部材３の端部には建物の壁面Ｈに両側部材３を固定する固定部３ａが形成され、中央部材２の中央板部２ｂにはガスメーター取付用の吊架ユニットＵが接続される接続金具Ｓを取り付けるための取付部２ｃが形成されている。【選択図】図５
2008026194.tif 000002
【特許請求の範囲】
【請求項１】
ガスメーターを建物の壁面に取り付ける際に使用するガスメーターの取付金具であって、平板材料をコ字状に折り曲げて形成された中央部材と、この中央部材の両側板部に沿って配置される２個一組からなる両側部材とを備え、前記中央部材及び両側部材には、両側部材の板面に沿って進退自在でかつ所望の位置で両者を相互に連結固定できる構造を備え、前記両側部材の端部には建物の壁面に当該両側部材を固定する固定部が形成され、前記中央部材の中央板部にはガスメーター取付用の吊架ユニットが接続される接続金具を取り付けるための取付部が形成されていることを特徴とするガスメーターの取付金具。
【請求項２】
前記両側部材は平板材料の先端部をL字状に折り曲げて形成された形状を有することを特徴とする請求項１記載のガスメーターの取付金具。
【請求項３】
前記中央部材及び両側部材を相互に両側部材の板面に沿って進退自在でかつ所望の位置で相互に連結固定できる構造が、前記両側部材又は中央部材の少なくとも一方に前記進退方向に形成された長穴部又は穴部と、当該長穴部及び穴部に挿入されて締結される締結具とを備えていることを特徴とする請求項１記載のガスメーターの取付金具。
【請求項４】
前記両側部材に形成した固定部が、L字状に折り曲げられた短辺に形成された長穴部又は穴部であることを特徴とする請求項１記載のガスメーターの取付金具。
【請求項５】
前記中央部材の折曲部又は前記両側部材の折曲部の少なくとも一方に中央部材又は両側部材のねじれなどの変形を防止するための剛性強化部が形成されていることを特徴とする請求項１記載のガスメーターの取付金具。
【請求項６】
前記剛性強化部が折曲部の稜線の一部を潰してディンプル状に形成したことを特徴とする請求項１記載のガスメーターの取付金具。
【発明の詳細な説明】
【技術分野】
【０００１】
本発明は、都市ガスやLPGなどのガスメーター（ガス流量計）を、建物の壁面に取り付ける際に使用するガスメーターの取付金具であって、特に好ましくはマンションなどの集合住宅におけるパイプ集合スペース（いわゆるＰＳ）に、ガスメーターを容易に設置することができるガスメーターの取付金具に関する。
【背景技術】
【０００２】
都市ガスやLPGのガスメーターを建物の壁面に設置する際に使用される取付金具としては各種のものが使用されている。特にマンションなどの集合住宅のパイプ集合スペースにはガス管以外の例えば水道管、下水管、電気配線などが狭いスペースに密集して配置されていることが多い。したがって、ガスメーターの配置を容易ならしめるために下記特許文献に示されるようなガスメーター取付装置が考案されている。
【特許文献１】特開平９−７２７７０号
【発明の開示】
【発明が解決しようとする課題】
【０００３】
しかしながら、従来のガスメーターの取付金具には、狭いスペースに既設配管と干渉しないように設置するために各種の構造上の工夫がされているが、各種の状況下にあるパイプ集合スペースのすべてに適用できるわけではなく、しかも多数の機構部品を組み合わせて構成したものであるのでコストが高く工事費用全体を勘案したときには安直に使用できない場合が多い。
【０００４】
したがって、コストを低減するためや各パイプ集合スペースのスペースなどの実情に合わせるために、チャンネルやアングルやパイプなどの一般構造材料を現場に合わせて切断し連結孔を開けるなどのいわゆるオーダーメイド形式で対応することがあるが、すべてオーダーメイドになるのでガスメーターの取付金具の製作に手間がかかってしまう。
【０００５】
本発明は、かかる事情に鑑みてなされたもので、コストが安価であり、オーダーメイド製作のような手間も必要が無く、設置も極めて容易にでき、パイプ集合スペースのスペース上の制約などに比較的容易に対応できるガスメーターの取付金具を提供することを目的とする。
【課題を解決するための手段】
【０００６】
（１）本発明の請求項１記載のガスメーターの取付金具は、ガスメーターを建物の壁面に取り付ける際に使用するガスメーターの取付金具であって、平板材料をコ字状に折り曲げて形成された中央部材と、この中央部材の両側板部に沿って配置される２個一組からなる両側部材とを備え、前記中央部材及び両側部材には、両側部材の板面に沿って進退自在でかつ所望の位置で両者を相互に連結固定できる構造を備え、前記両側部材の端部には建物の壁面に両側部材を固定する固定部が形成され、前記中央部材の中央板部にはガスメーター取付用の吊架ユニットが接続される接続金具を取り付けるための取付部が形成されていることを特徴とする。
（２）本発明の請求項２記載のガスメーターの取付金具は、前記両側部材は平板材料の先端部をL字状に折り曲げて形成された形状を有することを特徴とする。
（３）本発明の請求項３記載のガスメーターの取付金具は、前記両側部材及び中央部材を相互に両側部材の板面に沿って進退自在でかつ所望の位置で相互に連結固定できる構造が、前記中央部材又は両側部材の少なくとも一方に前記進退方向に形成された長穴部又は穴部と、当該長穴部及び穴部に挿入されて締結される締結具とを備えていることを特徴とする。
（４）本発明の請求項４記載のガスメーターの取付金具は、前記両側部材に形成した固定部が、L字状に折り曲げられた短辺に形成された長穴部又は穴部であることを特徴とする。
（５）本発明の請求項５記載のガスメーターの取付金具は、前記中央部材の折曲部又は前記両側部材の折曲部の少なくとも一方に中央部材又は両側部材のねじれなどの変形を防止するための剛性強化部が形成されていることを特徴とする。
（６）本発明の請求項６記載のガスメーターの取付金具は、前記剛性強化部が折曲部の稜線の一部を潰してディンプル状に形成したことを特徴とする。
【発明の効果】
【０００７】
（１）両側部材をその固定部により建物の壁面に固定し、固定された両側部材に対して中央部材を両側部材との相対位置を変更して、例えばパイプ集合スペースに既に配置された既設配管などを避けるように固定できる。そして、中央部材の中央板部に接続金具を取り付け、接続金具に吊架ユニットを取り付け、吊架ユニットにガスメーターを取り付けることができる。しかも、基本的な部品は中央部材と両側部材と締結具だけであり、部品点数が少なくしかも比較的単純な形状であるので部品コストの増大を招くこともない。
（２）Ｌ字状の両側部材は製造コストが非常に安価であるとともに、パイプ集合スペースに設置する場合にも他の配管などと干渉しないように配置できる。
（３）両側部材と中央部材とに形成された長穴部又は穴部にボルトなどの締結具を挿入して、中央部材を両側部材に対して長穴部に沿って進退させることにより、中央部材と両側部材とを相対移動させて簡単に固定できる。
（４）固定部が長穴部又は穴部である両側部材は製造コストが安価であるとともに、両側部材をその長穴部又は穴部にボルトなどを挿入して建物の壁面に取り付けることができる。
（５）中央部材又は両側部材の折曲部に形成した剛性強化部により中央部材や両側部材のねじれなどの変形を防止でき、相当の重量を有するガスメーターを安定して建物の壁面に取り付けて保持できる。
（６）剛性強化部を稜線の一部を潰したディンプル状としたものでは、製造コストを安価に保持しつつ所望の剛性強化が達成できる。
【発明を実施するための最良の形態】
【０００８】
以下に、図面を参照して本発明の実施の形態に係るガスメーターの取付金具について説明する。
【０００９】
本ガスメーターの取付金具１は、図５及び図６に示すように、ガスメーターＭを建物の壁面Ｈに取り付ける際に使用されるもので、図１〜図３に示すように、鉄板などの平板材料をコ字状に折り曲げて形成された中央部材２と、この中央部材２の両側板部２ａに沿って配置される２個一組からなる両側部材３とを備え、中央部材２及び両側部材３には、両側部材３の板面に沿って進退自在でかつ所望の位置で両者を相互に連結固定できる構造を備え、各両側部材３の端部には建物の壁面Ｈに両側部材３を固定する固定部３ａ（穴部）が形成され、中央部材２の中央板部２ｂにはガスメーター取付用の吊架ユニットＵが接続される接続金具Ｓを取り付けるための取付部２ｃ（穴部）が形成されて概略構成されている。
【００１０】
図２などに示すように、両側部材３は鉄板などの平板材料の先端部付近をL字状に折り曲げて形成された形状を有している。L字状に折り曲げられた短辺部３ｂには、固定部３ａとしての穴部が貫通形成されている。この穴部には両側部材３を壁面Ｈに固定する際にボルトが挿入されてから壁面Ｈにねじ込まれる。
【００１１】
両側部材３には、中央部材２との相対位置を変化させるために進退方向に形成された長穴部３ｃが形成され、中央部材２には長穴部３ｃに対応して穴部２ｄが形成されている。そして、長穴部３ｃ及び穴部２ｄにボルトとナットのような締結具４を挿入して締結するようになっている。これにより、中央部材２及び両側部材３を相互に両側部材３の板面に沿って進退自在でかつ所望の位置で相互に連結固定できる構造になっている。
【００１２】
中央部材２の折曲部又は両側部材３の折曲部には中央部材２又は両側部材３のねじれなどの変形を防止するための剛性強化部２ｅ又は３ｅが形成され、本実施例では剛性強化部２ｅ，３ｅは、折曲部の稜線の一部をディンプル状に潰して形成されている。
【００１３】
次に、本実施の一形態に係るガスメーターの取付金具の使用方法及び作用について図５及び図６に基づいて説明する。
【００１４】
まず、一方の両側部材３をパイプ集合スペースに既に配置された既設配管Ｋを避けるように、ボルトなどの締結具４を壁面Ｈにねじ込むことにより固定する。他方の両側部材３も中央部材２の両側板部２ａの間隔に対応させて配置して同様にボルトなどの締結具４により壁面Ｈに固定する。
【００１５】
次に、図２ないし図４に示すように、両側部材３の長穴部３ｃにボルトなどの締結具４を挿入するとともに中央部材２の両側板部２ａに形成された穴部２ｄに挿入する。そして、中央部材２を両側部材３に対してスライド移動させて、図５に示すように、既設配管Ｋと干渉しない位置で締結具４を締め付けて両者を一体化させる。なお、スライド量は、長穴部３ｃの長さの範囲内で、パイプ集合スペースのスペースや既設配管Ｋの配置状態などに応じて調整できる。
【００１６】
次に、中央部材２の中央板部２ｂに形成された取付部２ｃにボルトなどの締結具４により接続金具Ｓを取り付ける。接続金具Ｓは鉄板のような平板材料を折り曲げて断面がほぼ台形形状にされたものであり、中央部材２への固定は台形の長辺に形成された折曲部において行う。接続金具Ｓの短辺には取付部（穴部）が形成され、当該取付部にボルトなどの締結具４を挿入して吊架ユニットＵに形成された取付部（雌ねじ部）に螺合させることにより吊架ユニットＵを接続金具Ｓに連結固定する。そして、吊架ユニットＵにガスメーターＭを連結固定し、ガスメーターＭに所定のガス配管を配置してガスメーターの取付工事を完了させる。
【００１７】
このように、両側部材３の固定部３ａにより両側部材３を建物の壁面Ｈに固定し、固定された両側部材３に対して中央部材２を両側部材３との相対位置を変更して、既設配管Ｋなどを避けるように固定でき、中央部材２の中央板部２ｂに取り付けられた接続金具Ｓに吊架ユニットＵを取り付け、吊架ユニットＵにガスメーターＭを取り付けることができる。両側部材３、中央部材２などの取付作業は非常に容易である。
【００１８】
また、基本的な部品は中央部材２と両側部材３と締結具４だけであり、部品点数が少なく比較的単純な形状であるので部品コストの増大を招くこともない。しかも、Ｌ字状の両側部材３は製造コストが非常に安価であり、パイプ集合スペースに設置する場合にも他の既設配管Ｋなどと干渉しないように配置できる。
【００１９】
また、両側部材３と中央部材２との形成された長穴部３ｃ又は穴部２ｄにボルトなどの締結具４を挿入して、中央部材２を長穴部３ｃに沿って進退させることにより、中央部材２を両側部材３に対して移動させて確実に固定できる。
【００２０】
中央部材２又は両側部材３の折曲部に形成した剛性強化部２ｅ，３ｅにより中央部材や両側部材のねじれなどの変形を防止でき、相当の重量を有するガスメーターを安定して取付保持できる。本実施の形態では、剛性強化部２ｅ，３ｅを稜線の一部を潰したディンプル状としたので、製造コストを増大させることなく所望の剛性強化を得ることができる。
【００２１】
なお、上記実施の一形態では、マンションなどの集合住宅におけるパイプ集合スペースに取り付けられることを前提とした説明をしたが、戸建て住宅においてガスメーターを取り付ける場合にも適用できることは言うまでもない。この場合には、屋外に放置されることを考慮して各部品に所望の防錆加工を施すなどの改良を施すことが好ましい。
【００２２】
両側部材３を壁面Ｈに固定するのにボルトなどの締結具４を直接壁面Ｈにねじ込んで固定する例を示したが、両側部材３の端部が受け入れられて固定される溝部を形成した取付部品を予め壁面Ｈにボルト止めなどにより固定しておき、当該取付部品の溝部に両側部材３を間接的に好ましくはワンタッチで連結固定するようにしてもよい。
【図面の簡単な説明】
【００２３】
【図１】本発明の実施の一形態に係るガスメーターの取付金具の正面図である。
【図２】本発明の実施の一形態に係るガスメーターの取付金具の平面図である。
【図３】本発明の実施の一形態に係るガスメーターの取付金具の側面図である。
【図４】本発明の実施の一形態に係るガスメーターの取付金具をその機能に応じて変形させた状態を示す平面図である。
【図５】本発明の実施の一形態に係るガスメーターの取付金具の使用状態を示す平面図である。
【図６】本発明の実施の一形態に係るガスメーターの取付金具の使用状態を示す側面図である。
【符号の説明】
【００２４】
１    ガスメーターの取付金具
２    中央部材
２ａ  両側板部
２ｂ  中央板部
２ｃ  取付部
２ｄ  穴部
２ｅ  剛性強化部（ディンプル部）
３    両側部材
３ａ  固定部
３ｂ  短辺部
３ｃ  長穴部
３ｅ  剛性強化部（ディンプル部）
４    連結具
Ｋ    既設配管
Ｍ    ガスメーター
Ｓ    接続金具
Ｕ    吊架ユニット
【図１】
2008026194.tif 000003
【図２】
2008026194.tif 000004
【図３】
2008026194.tif 000005
【図４】
2008026194.tif 000006
【図５】
2008026194.tif 000007
【図６】
2008026194.tif 000008